【事件の表示】
　特願２００２−２５４６３５「番組表示装置および番組表示方法」拒絶査定不服審判事件〔平成１５年　４月１１日出願公開、特開２００３−１１０９８７〕について、次のとおり審決する。
【結　論】
　本件審判の請求は、成り立たない。
【理　由】
　
１．手続の経緯・本願発明
　本件審判の請求に係る特許出願（以下、「本願」という。）は、昭和63年６月６日に出願した特願昭63-138679号の分割出願である特願平10-58567号をさらに分割出願した特願2000-135905号をさらに分割出願した特願2000-294017号をさらに分割出願した特願2001-34020号をさらに分割出願した特願2002-23811号をさらに分割して特願2002-254635号（平成14年８月30日出願）としたものである。
　そして、本願の請求項１〜８に係る発明は、平成15年７月29日付け手続補正書で補正された明細書の特許請求の範囲の請求項１〜８に記載されたとおりのものであると認められるところ、そのうち請求項１に係る発明（以下、「本願発明」という。）は、次のとおりである。
　
「【請求項１】
　少なくともテレビの各番組とその開始時刻とその放映チャンネルとを含む情報を外部から当該番組表示装置のRAMに一旦取り込む入力手段と、
　該入力手段により上記RAMに取り込まれた上記情報から、当該番組表示装置の電源を投入した日の翌日の各チャンネルのテレビの番組を取り出して表示する表示制御手段と、
　上記表示制御手段により表示された上記番組から所望の番組が表示された表示箇所を選択する選択手段と、
　上記選択手段にて選択された表示箇所に対応する番組のチャンネルを上記情報から読み出して出力するチャンネル出力手段と、
　上記選択手段にて選択された表示箇所に対応する番組の開始時刻を上記情報から読み出して出力する開始時刻出力手段と、
　を備え、しかも上記表示制御手段が、
　上記入力手段により上記RAMに取り込まれた上記情報から、複数チャンネルのテレビ放送の内容を取り出して縦もしくは横の内の１方向に並べて表示するチャンネル表示手段と、
　上記入力手段により上記RAMに取り込まれた上記情報中の同一チャンネルの番組を、その放送順に、上記１方向と垂直な方向に並べ、しかも１番組１枠で表示する放送順序表示手段と、
　を備え、
　前記選択手段がカーソルキーであり、しかも上下左右の番組に選択箇所を移動可能なものであることを特徴とする番組表示装置。」
　
２．引用例に記載された発明
　これに対し、原査定の拒絶の理由で引用された本願出願前に頒布された刊行物である特開昭62-60372号公報（以下、「引用例」という。）には、図面とともに次の技術事項が記載されている。
(i)「［発明の技術分野］
　本発明は、任意テレビ番組を記憶し、その記憶番組に従って自動的に選局動作するテレビジョン受像機の選局プログラム装置に関する。」（第１頁右下欄第３〜６行）
(ii)「［発明の目的］
　本発明は・・・、テレビ番組表をテレビ画面上に表示し、その表示番組の中から所望の番組を指定することにより、簡単に指定番組のプログラム設定を行ない得るテレビジョン受像機の選局プログラム装置を提供することを目的とする。」（第１頁右下欄第19行〜第２頁左上欄第５行）
(iii)「［発明の要点］
　本発明は、放送日時データ、放送局データ、番組名データを含むテレビ番組の情報を記憶する番組情報記憶手段並びに現在の日付及び時刻を計時する時計回路を設け、上記番組情報記憶手段に記憶しているテレビ番組表をテレビジョン受像機の画面上に表示し、上記画面上に表示されている番組の中から任意の番組を指定することによりその指定番組を登録し、上記計時回路の計時データと上記登録された番組の放送日時データとを比較してその番組の放送時刻になった時に該番組を自動選局するようにしたものである。」（第２頁左上欄第６〜17行）
(iv)「［発明の実施例］
　以下、図面を参照して本発明の実施例を説明する。まず、第１図により全体の回路構成について説明する。第１図において、11はチューナで、アンテナ10に誘起したテレビ放送電波の中からテレビ制御部12の指示に従って所望チャンネルの放送電波を選択し、中間周波数に変換してTV回路13へ出力する。このTV回路13は、チューナ11からのテレビ信号によりチューニング信号を作成し、上記テレビ制御部12へ出力すると共に、上記テレビ信号を増幅した後、映像検波、同期分離、音声検波等の処理を行ない、表示切換回路14を介して映像信号をCRT表示部15へ出力し、また、音声信号をスピーカ（図示せず）から出力する。上記CRT表示部15の前面にはタッチスイッチ16が設けられる。このタッチスイッチ16のタッチ操作は、キーセンス回路17により検出されてCPU18へ送られる。
　また、上記CPU18には、各種制御キーを備えたキーボード19、現在時刻及び日付を計時する時計回路20が接続されると共に、バスライン21を介して上記テレビ制御部12、表示切換回路14、テレビ番組情報を記憶する番組メモリ22、テレビ番組情報を入力するための入力装置23、ワークメモリ24、表示メモリ25、チャンネル電圧発生回路26、マウス27、VTR制御部28が接続される。上記チャンネル電圧発生回路26は、CPU18からのチャンネル指定コードに応じてチャンネル電圧を発生し、テレビ制御部12及びVTR制御部28に出力する。このVTR制御部28には、VTR29が接続され、このVTR29の再生出力Ａが上記表示切換回路14に入力される。この表示切換回路14は、CPU18からの制御指令に従って入力信号を選択し、CRT表示部15へ出力する。
　しかして、上記番組メモリ22は、例えば１か月分の番組情報を記憶するもので、アドレスエリアは日付単位に分れ、それぞれ先頭アドレス（ｘ番地）が設定される。第２図は、番組メモリ22の一部エリアの構成を示したもので、番組情報として、日付、チャンネル、曜日、開始時刻、終了時刻、番組の種類、番組が放送中であることを示す放送中フラグF1、番組が終了したことを示す放送終了フラグF2、テレビの動作を予約するテレビ予約フラグF3、VTRの動作を予約するVTR予約フラグF4、番組名等が設定される。これらの番組情報は、第１図の入力装置23から入力されるもので、その入力手段としては、例えばバーコードリーダによる方法がある。」（第２頁左上欄第18行〜同頁右下欄第５行）
(v)「次に上記実施例の動作を説明する。まず最初に、例えばテレビガイドにバーコード印刷されている１週間分あるいは１か月分の番組情報を入力装置23により読取らせ、CPU18の制御に従って番組メモリ22に記憶させる。CPU18は、番組メモリ22にテレビ番組情報を書込むと、第３図に示すフローチャートに従ってイニシャル処理を実行する。」（第２頁右下欄第６〜12行）
(vi)「番組メモリ22にテレビ番組情報を記憶させ、イニシャル処理を終了した後は、キーボード19におけるキー操作により、テレビ番組表をCRT表示部15に表示でき、その表示番組に基づいて任意プログラムを設定することができる。以下、プログラムの設定動作について第４図のフローチャートに従って説明する。まず、ステップB1に示すようにプログラム設定したい番組の日付をキーボード19から入力すると共に、番組表の表示を指令する「番組表」キーを操作する。上記のキー操作が行なわれると、CPU18はステップB2において上記指定日付データを読込み、・・・・・。ステップB5において番組メモリ22から１番組分の記憶情報を読出す。次いでこの番組メモリ22から番組情報をステップB6に示すようにワークメモリ24に出力する。・・・・・以下、同様な動作を繰返し、番組メモリ22から指定日付における番組情報をワークメモリ24に読出す。・・・・・CPU18は、上記ワークメモリ24に読出した番組情報をステップB9において見易い形に編集し、次いでその編集結果をステップB10に示すように表示メモリ25へ出力する。この表示メモリ25に書込まれた番組の一覧表は、表示切換回路14へ送られる。上記プログラム設定モードでは、CPU18からの制御指令により表示切換回路14が表示メモリ25側に切換えられており、上記表示メモリ25に記憶保持されているテレビ番組表がCRT表示部15へ送られて表示される。このテレビ番組表には、例えば第５図に示すように、日付、曜日、チャンネル、並びにその日の番組及び放送時間が対応表示されると共に、「TV」、「VTR」、「END」の動作指定項目が表示される。上記「TV」は、指定番組を自動選択して画像表示する為のプログラム選局モード、「VTR」は予約録画モード、「END」は処理終了を指示するための動作指定項目である。そして、上記番組表には、各番組及び動作指定項目に対応するように操作位置を示す操作マークMが設けられる。この操作マークＭは、タッチスイッチ16の各タッチ電極に対応する位置に表示される。
　しかして、ユーザーは、上記CRT表示部15に表示された番組内容を見て、まず「TV」あるいは「VTR」の動作モードを指定した後、希望する番組を指でタッチ操作する。このタッチ操作は、タッチスイッチ16及びキーセンス回路17により検出され、その検出信号がCPU18へ送られる。CPU18は、キーセンス回路17から送られてくるキーセンス信号を第４図のステップB11で検出してその内容を判別し、TVモードであればステップB12に進み、「VTR」モードであればステップB13に進んでそれぞれ指定番組の認識処理を行う。・・・・・以下、キータッチ操作により番組予約が行われる毎に同様な動作が行なわれ、番組メモリ22にテレビ予約フラグF3あるいはVTR予約フラグF4がセットされる。そして、上記番組予約操作を終了した後は、テレビ画面上の「END」の項目をタッチ操作する。上記「END」項目のタッチ操作は、ステップB11において検出され、番組予約処理を終了する。」（第３頁右上欄第４行〜第４頁右上欄第３行）
(vii)「上記実施例では、番組メモリ22にテレビ番組情報を記憶させる手段として、バーコードリーダによる方法を示したが、その他、例えばメモリパック、カセットテープ、ICカード等の記憶媒体を利用して行なっても良く、また、ビデオテックスを利用し、ビデオテックスの情報センターからテレビ番組情報を読出して番組メモリ22に記憶するようにしても良い。また、画面上に番組表を一度に表示しきれない時は、スクロールや改頁によって分割表示すればよい。」（第５頁左下欄第５〜14行）
　
　上記摘記事項及び図面の記載を総合勘案すると、引用例には次の発明が記載されているものと認める。
　
　少なくともテレビ放送の各番組名とその開始時刻とその終了時刻とその放映チャンネルとを含む番組情報を、バーコードリーダ、メモリパック、カセットテープ、ICカード等の記憶媒体を利用し、また、ビデオテックスの情報センターからテレビ番組情報を読み出して番組メモリ22に一旦記憶する入力装置23と、
　プログラム設定したい番組の日付けをキーボード19から入力すると共に、番組表の表示を指令する「番組表」キーを操作すると、該番組情報から上記指定日付におけるチャンネルの番組内容を取り出して同一チャンネルの番組内容をその放送順に縦の方向に画面上に並べてCRT表示部15に表示する手段と、
　ユーザーがCRT表示部15に表示された番組内容を見て、「TV」あるいは「VTR」の動作モードを指定した後、希望する番組を指でタッチ操作すると、「TV」モードあるいは「VTR」モードにおけるそれぞれ指定番組の予約設定を行い、
　また、画面上に番組表を一度に表示しきれない時は、スクロールや改頁によって分割表示する
　テレビジョン受像機の選局プログラム装置。
　
３．対　比
　本願発明と引用例に記載された発明とを対比する。
　引用例に記載された発明は、テレビ番組表をCRT表示部の画面上に表示するものであるから、その意味で本願発明と同様に「番組表示装置」に関するものであることは明らかである。　
　引用例に記載された発明における「番組メモリ22」は、テレビ番組情報を「バーコードリーダ、メモリパック、カセットテープ、ICカード等の記憶媒体を利用し、また、ビデオテックスの情報センターからテレビ番組情報を読み出して一旦記憶」するものであるから、「番組情報を外部から取り込む」「メモリ」といえるものであり、その意味で本願発明における「RAM」と共通する。
　引用例に記載された発明における「タッチスイッチ16」は、表示されたテレビ番組表から所望の番組が表示された箇所を指でタッチ操作して番組を選択するものであり、その限りで本願発明における「選択手段」と共通する。
　引用例に記載された発明は、タッチスイッチ16（選択手段）で選択された表示箇所に対応するテレビ番組のチャンネル、及び開始時刻を上記番組情報から読み出すものであることは明らかであるから、本願発明における「チャンネル出力手段」、及び「開始時刻出力手段」を具えるものである。
　引用例に記載された発明は、テレビ番組のチャンネルを表示するものであるから、その限りで本願発明における「チャンネル表示手段」を具えるものであり、また、テレビ番組をその放送順に縦の方向に並べて表示するものであるから、その限りで本願発明における「放送順序表示手段」を具えるものであることは明らかである。
　引用例に記載された発明は、タッチスイッチ（選択手段）の操作により番組を選択するものであるから、本願発明と同様に、上下左右の番組に選択箇所を移動可能なものである。
　
　そうすると、本願発明と引用例に記載された発明とは、次の点で一致する。
 一致点
　少なくともテレビの各番組とその開始時刻とその放映チャンネルとを含む情報を外部から当該番組表示装置のメモリに一旦取り込む入力手段と、
　該入力手段により上記メモリに取り込まれた上記情報から、当該番組表示装置の各チャンネルのテレビの番組を取り出して表示する表示制御手段と、
　上記表示制御手段により表示された上記番組から所望の番組が表示された表示箇所を選択する選択手段と、
　上記選択手段にて選択された表示箇所に対応する番組のチャンネルを上記情報から読み出して出力するチャンネル出力手段と、
　上記選択手段にて選択された表示箇所に対応する番組の開始時刻を上記情報から読み出して出力する開始時刻出力手段と、
　を備え、しかも上記表示制御手段が、
　上記入力手段により上記メモリに取り込まれた上記情報から、複数チャンネルのテレビ放送の内容を取り出して表示するチャンネル表示手段と、
　上記入力手段により上記メモリに取り込まれた上記情報中の同一チャンネルの番組を、その放送順に、並べ、表示する放送順序表示手段と、
　を備え、
　上下左右の番組に選択箇所を移動可能なものである番組表示装置。
　
　そして、次の各点で相違する。
 相違点
(a) テレビ番組情報を取り込むメモリに関し、本願発明においては「RAM」を用いるものであるのに対し、引用例に記載された発明においてはこのことが特に示されていない点（以下、「相違点ａ」という。）。
(b) 本願発明においては、「電源を投入した日の翌日」のテレビ番組内容を取り出して画面表示するものであるのに対し、引用例に記載された発明においては、ユーザーが指定した日の番組内容を表示するものである点（以下、「相違点ｂ」という。）。
(c) 画面に表示する番組内容に関し、本願発明においては、チャンネルを「縦もしくは横の内の１方向に並べ」、同一チャンネルの番組内容を、その放送順に「上記１方向と垂直な方向に」画面に並べ、「且つ１番組１枠で」表示するものであるのに対し、引用例に記載された発明においては、同一チャンネルの番組内容をその放送順に縦の方向に画面上に並べてCRT表示部15に表示するものである点（以下、「相違点ｃ」という。）。
(d) 番組表示箇所の「選択手段」に関し、本願発明においては、「カーソルキー」で「上下左右の番組に選択箇所を移動可能なものである」のに対し、引用例に記載された発明においては、「タッチスイッチ」で選択箇所を変更するものである点（以下、「相違点ｄ」という。）。
　
４．当審の判断
　そこで、上記各相違点について検討する。
　
　相違点ａについて：
　書込み読出し可能なメモリとしてRAMは本願出願前にごく周知のものであるから、引用例に記載された発明においても、番組情報を書込み読出す番組メモリとしてこのような周知のRAMを用いることは当業者が必要に応じて適宜なし得た程度の事項である。
　
　相違点ｂについて：
　引用例に記載された発明は、ユーザーが指定した日のテレビ番組表がCRT表示部15に表示されるものであるが、翌日のテレビ番組を予約すること自体は極く普通のことであるし、翌日の番組情報を見ようとして電源をオンするのは自然なことである。また、主電源をオンすることによってスケジュール画像の表示ステップとし、テレビ画面上に翌日のスケジュールを表示させること、すなわち、電源をオン（投入）することにより電源がオン（投入）された日の翌日の必要なスケジュール情報を画面表示することは本願出願前に周知の技術である（必要があれば、特開昭61-74475号公報（特に、第６頁左上欄第11〜15行の記載）を参照されたい。）から、引用例に記載された発明においても、テレビのスケジュール情報であるテレビ番組表を画面上に表示しようとする際、ユーザーが指定した日の番組表に替えて、電源がオン（投入）された日の翌日の番組情報を画面表示することは当業者が容易に想到できたものである。
　
　相違点ｃについて：
　引用例に記載された発明は、同一チャンネルの番組内容をその放送順に縦の方向に画面上に並べて表示するものである（第５図を参照。）が、一般には、むしろ、テレビ番組内容を放映チャンネル毎に時刻情報とともに放送順に並べて１番組１枠とした表形式で表示するのが普通である〔新聞、雑誌等のテレビ番組欄を想起されたい。一部の時間帯は１番組１枠で構成されており、このような表示はよく知られた形式に過ぎない。また、特開昭61-113379号公報、及び、実願昭56-26229号（実開昭57-170166号）のマイクロフィルムを参照。〕から、引用例に記載された発明においても、上記周知のもののように、テレビ番組内容を放映チャンネル毎に時刻情報とともに放送順に並べて１番組１枠とした表形式で表示することは当業者が必要に応じて適宜なし得た程度の事項である。
　
　相違点ｄについて：
　画面に表示された番組内容の中のある番組内容が移動可能なカーソルキーにより選択されると、上記選択された表示箇所に対応する番組内容を所望の番組として設定することは本願出願前に周知の技術である（必要があれば、特開昭60-29957号公報、及び、特開昭60-29958号公報を参照。）から、引用例に記載された発明においても、上記周知技術のように、選択手段をタッチスイッチに替えてカーソルキーとし、使用者がカーソルキーを移動させて特定の表示箇所を選択するように構成することは当業者が容易に想到できたものである（なお、チャンネル番号枠と時刻枠とからなるマトリクス状の表示選択領域を画面上に映出させ、番組設定したい領域を使用者がカーソルで選択することによりその領域に対応する番組を所望の（予約）番組として設定することができるよう構成することは、特開昭63-54884号公報にもみられるところである。）。
　
　そして、本願発明の奏する効果も引用例及び周知技術から当業者が十分に予測可能なものであって、格別のものとはいえない。
　
５．むすび
　以上のとおりであって、本願の請求項１に係る発明は、引用例に記載された発明及び周知技術に基づいて当業者が容易に発明をすることができたものと認められるので、特許法第29条第２項の規定により特許を受けることができない。
　したがって、本願は、その余の請求項について論及するまでもなく、拒絶すべきものである。
　
　よって、結論のとおり審決する。